(57)【要約】【課題】開閉扉を有する冷却室の冷却運転と除霜運転とを行う冷凍装置において、冷却室の確実な冷却を行うと共に、不必要な除霜運転を防止することである。【解決手段】冷凍装置は、冷凍ショーケースの冷却運転と除霜運転とを行う冷凍ユニットを有する蒸気圧縮式冷凍サイクルの冷媒回路と、運転制御を行う制御部（200）とを備えている。冷凍ショーケースは、商品取出し扉と商品搬入扉の２つの開閉扉を備えている。制御部（200）には、開閉扉の開放を検知する開放検知部(300)が接続されている。冷凍ユニットでは、原則として、６時間毎に除霜運転が行われるが、前回除霜運転時から６時間経過した除霜開始時刻となっても、開放時間の判断部（201）により、上記開放検知部（300）からの信号に基づいて、開閉扉の開放時間が長いと判断されれば、除霜運転を開始する代わりに冷却運転が継続される。【選択図】図３
2007071514.tif 000002
【特許請求の範囲】
【請求項１】
冷却室（3a）の冷却運転を行うと共に、所定の冷却運転時間が経過する毎に除霜運転を行う冷凍装置であって、
上記冷却室（3a）の開閉扉（3b,3c）の所定時間における累積開放時間を測定する測定手段（201）と、
前回除霜運転時から上記所定の冷却運転時間が経過した際に、上記測定手段（201）によって測定された上記累積開放時間が所定基準時間以上であると、上記除霜運転を開始する代わりに上記冷却運転を継続して上記除霜運転を制限する除霜制限手段（204）とを備えている
ことを特徴とする冷凍装置。
【請求項２】
請求項１において、
上記冷却室（3a）は、店内に設置されたショーケース（3a）である
ことを特徴とする冷凍装置
【請求項３】
請求項２において、
上記開閉扉（3b,3c）は、上記店内の売場に面した商品取出し用の開閉扉（3b）である
ことを特徴とする冷凍装置。
【請求項４】
請求項２において、
上記開閉扉（3b,3c）は、上記店内において売場の外部のバックヤードに面した商品搬入用の開閉扉（3c）である
ことを特徴とする冷凍装置。
【請求項５】
請求項１おいて、
上記除霜制限手段（204）による冷却運転が所定期間継続した後に、上記除霜運転を開始させる除霜開始手段（205）を備えている
ことを特徴とする冷凍装置。
【発明の詳細な説明】
【技術分野】
【０００１】
本発明は、冷凍装置に関し、特に冷却室の冷凍運転と除霜運転とを行う冷凍装置に係るものである。
【背景技術】
【０００２】
従来より、冷却室の冷却運転を行うと共に、該冷却運転によって付着した霜を除去するために、冷却運転を一時的に停止して、除霜運転を行う冷凍装置がある。（例えば、特許文献１及び特許文献２）。
【０００３】
特許文献１には、コンビニエンスストアなどの店内に設置され、冷蔵ショーケース及び冷凍ショーケースの冷却を行う熱交換器と、店内の空調用の熱交換器と、室外に設けられた熱交換器とが蒸気圧縮式冷凍サイクルの冷媒回路に接続された冷凍装置が記載されている。このような冷凍装置においては、長時間に渡ってショーケースの冷却が継続されると、蒸発器表面に霜が付着して、ショーケースの熱交換器の伝熱抵抗や通風抵抗を増加させるために、冷却能力が低下する。そこで、例えば、所定時間毎に、通常の冷蔵、冷凍を一時的に停止して、除霜を開始するよう制御されている。
【０００４】
また、特許文献２には、海上コンテナの冷却を行う冷凍装置において、所定時間毎に周期的な除霜運転を行う冷凍装置が記載されている。
【特許文献１】特開２００４−３５３９９５号公報
【特許文献２】特開２００１−１８３０３７号公報
【発明の開示】
【発明が解決しようとする課題】
【０００５】
ところで、上記特許文献１及び２のような冷凍装置において、冷却室の内容物の搬入及び取出しを行うために、冷却室の開閉扉が長時間、又は頻繁に開放状態となる場合がある。このような場合には、冷却室の冷却が不足気味となり、また、冷却室の温度が低下せず霜が付着しにくくなるために、一時的に除霜運転の必要がなくなる。しかしながら、周期的に除霜運転が行われる冷凍装置では、このような場合であっても、前回除霜運転時から所定の冷却運転時間が経過すれば除霜運転が開始されるために、冷却室の冷却が図れないと共に、不必要な除霜運転が行われるという問題点があった。
【０００６】
本発明は、かかる点に鑑みてなされたものであり、所定の冷却運転時間毎に除霜運転を行う冷凍装置において、前回除霜運転時から所定の冷却運転時間が経過した除霜開始時間となっても、冷却室の開閉扉の開放時間が長い場合には、冷却運転を継続して、冷却室の確実な冷却を図ると共に、不必要な除霜運転が行われることを防止することを目的とする。
【課題を解決するための手段】
【０００７】
第１の発明は、冷却室（3a）の冷却運転を行うと共に、所定の冷却運転時間が経過する毎に除霜運転を行う冷凍装置であって、上記冷却室（3a）の開閉扉（3b,3c）の所定時間における累積開放時間を測定する測定手段（201）と、前回除霜運転時から上記所定の冷却運転時間が経過した際に、上記測定手段（201）によって測定された上記累積開放時間が所定基準時間以上であると、上記除霜運転を開始する代わりに上記冷却運転を継続して上記除霜運転を制限する除霜制限手段（204）とを備えている。
【０００８】
この第１の発明では、上記冷却室（3a）の開閉扉（3b,3c）の所定時間内の累積開放時間が所定基準時間以上であれば、冷却室（3a）の冷却が不足気味であり、冷却室（3a）の温度が低下せず着霜がされていないので、上記除霜制限手段（204）が、除霜運転を開始する代わりに冷却運転を継続して、冷却室（3a）の冷却を図ると共に、不必要な除霜運転が行われることを防止する。
【０００９】
第２の発明は、第１の発明において、上記冷却室（3a）は、店内に設置されたショーケース（3a）である。
【００１０】
この第２の発明では、上記ショーケース（3a）において、除霜運転の制限を行うことにより、ショーケース（3a）内の商品の冷却を図ると共に、ショーケース（3a）内における不必要な除霜運転が行われることを防止する。
【００１１】
第３の発明は、第２の発明において、上記開閉扉（3b,3c）は、上記店内の売場に面した商品取出し用の開閉扉（3b）である。
【００１２】
この第３の発明では、上記商品取出し用の開閉扉（3b）は、主に客によって開閉されるために、開放時間の予測が困難であるので、測定手段（201）によって、累積開放時間を確実に測定する。
【００１３】
第４の発明は、第２の発明において、上記開閉扉（3b,3c）は、上記店内において売場の外部のバックヤードに面した商品搬入用の開閉扉（3c）である。
【００１４】
この第４の発明では、上記商品搬入用の開閉扉（3c）は、商品搬入作業などによって開放時間が変動し、開放時間の予測が困難であるので、測定手段（201）によって、累積開放時間を確実に測定する。
【００１５】
第５の発明は、第１の発明において、上記除霜制限手段（204）による冷却運転が所定期間継続した後に、上記除霜運転を開始させる除霜開始手段（205）を備えている。
【００１６】
この第５の発明では、第１の発明において、上記除霜開始手段（205）により、上記除霜制限手段（204）による冷却運転が所定期間継続した後には、上記除霜運転を開始させる。
【発明の効果】
【００１７】
上記第１の発明によれば、前回除霜運転時から所定の冷却運転時間が経過した除霜開始時刻となっても、上記冷却室（3a）の開閉扉（3b,3c）の所定時間内の累積開放時間が所定基準時間以上であれば、除霜運転を開始する代わりに冷却運転を継続するようにしたために、開閉扉（3b,3c）の開放のために冷却が不足気味な冷却室（3a）の冷却を図ることができると共に、着霜がなされていない冷却室（3a）に不必要な除霜運転を行うことを防止することができる。
【００１８】
また、上記第２の発明によれば、上記冷却室（3a）は、店内に設置されたショーケース（3a）としたために、ショーケース（3a）内の商品の冷却を確実に行うことができると共に、着霜がなされていないショーケース（3a）に不必要な除霜運転を行うことを防止することができる。
【００１９】
また、上記第３の発明によれば、第２の発明において、上記開閉扉（3b,3c）を商品取出し用の開閉扉（3b）としたために、上記商品取り出し用の開閉扉（3b）は、主として客によって開閉されるので、開放時間の予想が困難であることから、上記測定手段（201）によって開放時間を確実に測定して、適切な除霜制限を行うことができる。
【００２０】
また、上記第４の発明によれば、第２の発明において、上記開閉扉（3b,3c）を上記ショーケース（3a）のバックヤードに面した商品搬入用の開閉扉（3c）としたために、商品搬入用の開閉扉（3c）は、作業内容によって開放時間が変動するので、開放時間の予測が困難であることから、上記測定手段（201）によって開放時間を確実に測定して、適切な除霜制限を行うことができる。
【００２１】
また、上記第５の発明によれば、第１の発明において、上記除霜開始手段（205）により、上記除霜制限手段（204）による冷却運転が所定期間継続した後には、上記除霜運転を開始させることができるので、除霜運転が永続的に行われないことを防止することができる。
【発明を実施するための最良の形態】
【００２２】
以下、本発明の実施形態を図面に基づいて詳細に説明する。
【００２３】
《発明の実施形態》
図１に示すように、本発明の冷凍装置（10）は、コンビニエンスストアなどの商店に設置される冷凍装置であって、室内の空調運転を行うと共に、冷蔵ショーケース（4a）の冷却運転と、冷凍ショーケース（3a）の冷却運転及び除霜運転を行うものである。上記冷凍装置（10）は、室外ユニット（1）と、ブースタユニット（2）と、冷凍ユニット（3）と、冷蔵ユニット（4）と、空調ユニット（5）と、制御部（200）とを備えている。上記室外ユニット（1）は屋外に設置され、その他のユニット(2,3,4,5)は店内に設置されている。
【００２４】
上記冷凍ユニット（3）は、上記冷凍ショーケース（3a）を含み、該冷凍ショーケース（3a）の冷却を行うように構成され、上記冷蔵ユニット（4）は、上記冷蔵ショーケース（4a）を含み、上記冷蔵ショーケース（4a）の冷却を行うように構成されている。
【００２５】
上記冷凍ショーケース（3a）は略直方体状に形成され、対向する側面に、２つの開閉扉（3b,3c）を備えている。上記２つの開閉扉（3b,3c）の一方は、上記商品取出し扉（3b）であって、店内の売場に面し、主として、店内の客が商品を取り出すための開閉扉である。上記２つの開閉扉（3b,3c）の他方は、商品搬入扉（3c）であって、上記売場の外部のバックヤードに面し、店員が冷凍ショーケース（3a）内に商品を搬入し、陳列するための開閉扉である。
【００２６】
上記冷凍装置（10）においては、図２に示すように、上記室外ユニット（1）に室外回路（40）が、上記空調ユニット（5）に空調回路（100）が、上記冷蔵ユニット（4）に冷蔵庫内回路（110）が、上記冷凍ユニット（3）に冷凍庫内回路（130）が、上記ブースタユニット（3）にはブースタ回路（140）がそれぞれ設けられている。上記冷凍装置（10）では、これらの回路（40,100,…）を配管で接続することによって蒸気圧縮式冷凍サイクルの冷媒回路（20）が構成されている。
【００２７】
具体的に、上記冷媒回路（20）においては、冷凍庫内回路（130）及びブースタ回路（140）が直列に接続されて冷凍回路（30）を構成し、該冷凍回路（30）と冷蔵庫内回路（110）とが室外回路（40）に対して互いに並列接続されている。冷蔵庫内回路（110）及び冷凍回路（30）は、第１液側連絡配管（21）及び第１ガス側連絡配管（22）を介して室外回路（40）に接続されている。第１液側連絡配管（21）の一端は、室外回路（40）に接続され、他端は２つに分岐して、分岐した一方が冷蔵庫内回路（110）の液側端に接続され、他方が液側閉鎖弁（31）に接続されている。第１ガス側連絡配管（22）の一端は、室外回路（40）に接続され、他端は２つに分岐して、分岐した一方が冷蔵庫内回路（110）のガス側端に接続され、他方がガス側閉鎖弁（32）に接続されている。
【００２８】
また、上記冷媒回路（20）においては、空調回路（100）が、第２液側連絡配管（23）及び第２ガス側連絡配管（24）を介して室外回路（40）に接続されている。上記第２液側連絡配管（23）の一端は、室外回路（40）に接続され、他端は、空調回路（100）の液側端に接続されている。第２ガス側連絡配管（24）の一端は、室外回路（40）に接続され、他端は、空調回路（100）のガス側端に接続されている。
【００２９】
〈室外ユニット〉
上記室外ユニット（1）の室外回路（40）には、可変容量圧縮機（41）と、固定容量圧縮機（42）と、室外熱交換器（43）と、レシーバ（44）と、室外膨張弁（45）とが設けられている。また、室外回路（40）には、四路切換弁（51,52）と、液側閉鎖弁（53,55）と、ガス側閉鎖弁（54,56）とが２つずつ設けられている。この室外回路（40）において、第１液側閉鎖弁（53）には第１液側連絡配管（21）が、第１ガス側閉鎖弁（54）には第１ガス側連絡配管（22）が、第２液側閉鎖弁（55）には第２液側連絡配管（23）が、第２ガス側閉鎖弁（56）には第２ガス側連絡配管（24）がそれぞれ接続されている。
【００３０】
可変容量圧縮機（41）の吸入側には、第１吸入管（61）の一端が接続されている。第１吸入管（61）の他端は、第１ガス側閉鎖弁（54）に接続されている。一方、固定容量圧縮機（42）の吸入側には、第２吸入管（62）の一端が接続されている。第２吸入管（62）の他端は、第２四路切換弁（52）に接続されている。また、第１吸入管（61）には吸入接続管（63）の一端が接続され、第２吸入管（62）には吸入接続管（63）の他端が接続されている。この吸入接続管（63）には、該吸入接続間（63）の一端から他端へ向かう冷媒の流通だけを許容する逆止弁（CV-1）が設けられている。
【００３１】
可変容量圧縮機（41）及び固定容量圧縮機（42）には、吐出管（64）が接続されている。吐出管（64）の一端は、第１四路切換弁（51）に接続され、他端は、第１分岐管（64a）と第２分岐管（64b）とに分岐されている。上記第１分岐管（64a）が可変容量圧縮機（41）の吐出側に接続され、上記第２分岐管（64b）が固定容量圧縮機（42）の吐出側に接続されている。吐出管（64）の第２分岐管（64b）には、固定容量圧縮機（42）から第１四路切換弁（51）へ向かう冷媒の流通だけを許容する逆止弁（CV-3）が設けられている。また、吐出管（64）には、吐出接続管（65）の一端が接続され、該吐出接続管（65）の他端は、第２四路切換弁（52）に接続されている。
【００３２】
室外熱交換器（43）は、クロスフィン式のフィン・アンド・チューブ型熱交換器であって、冷媒と室外空気との間で熱交換を行うものである。室外熱交換器（43）の一端は、閉鎖弁（57）を介して第１四路切換弁（51）に接続されている。一方、室外熱交換器（43）の他端は、第１液管（81）を介してレシーバ（44）の頂部に接続されている。この第１液管（81）には、室外熱交換器（43）からレシーバ（44）へ向かう冷媒の流通だけを許容する逆止弁（CV-4）が設けられている。
【００３３】
レシーバ（44）の底部には、閉鎖弁（58）を介して第２液管（82）の一端が接続され、該第２液管（82）の他端は、第１分岐管（82a）と第２分岐管（82b）とに分岐されている。上記第２液管（82）の第１分岐管（82a）は、第１液側閉鎖弁（53）に接続され、第２分岐管（82b）は、第２液側閉鎖弁（55）に接続されている。上記第２液管（82）の第２分岐管（82b）には、レシーバ（44）から第２液側閉鎖弁（55）へ向かう冷媒の流通だけを許容する逆止弁（CV-5）が設けられている。
【００３４】
第２液管（82）の第２分岐管（82b）において、逆止弁（CV-5）と第２液側閉鎖弁（55）の間には、第３液管（83）の一端が接続されている。第３液管（83）の他端は、レシーバ（44）の頂部に接続されている。また、第３液管（83）には、その一端から他端へ向かう冷媒の流通だけを許容する逆止弁（CV-6）が設けられている。
【００３５】
上記第２液管（82）における閉鎖弁（58）の下流には、第４液管（84）の一端が接続され、該第４液管（84）の他端は、第１液管（81）における室外熱交換器（43）と逆止弁（CV-4）の間に接続されている。また、第４液管（84）には、室外膨張弁（45）が設けられている。
【００３６】
第１四路切換弁（51）は、第１のポートが吐出管（64）に、第２のポートが第２四路切換弁（52）に、第３のポートが室外熱交換器（43）に、第４のポートが第２ガス側閉鎖弁（56）にそれぞれ接続されている。この第１四路切換弁（51）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００３７】
第２四路切換弁（52）は、第１のポートが吐出接続管（65）に、第２のポートが第２吸入管（62）に、第４のポートが第１四路切換弁（51）の第２のポートにそれぞれ接続されている。また、第２四路切換弁（52）は、その第３のポートが封止されている。この第２四路切換弁（52）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００３８】
室外回路（40）には、油分離器（70）、油戻し管（71）、インジェクション管（85）、及び連通管（87）も設けられている。更に、室外回路（40）には、均油管（72,73）と吸入側配管（66,67）とが２つずつ設けられている。
【００３９】
油分離器（70）は、吐出管（64）に設けられ、圧縮機（41,42）の吐出ガスから冷凍機油を分離するためのものである。油分離器（70）には、油戻し管（71）の一端が接続され、該油戻し管（71）の他端は、第１吸入管（61）に接続されている。上記油戻し管（71）には、電磁弁（SV-5）が設けられ、該電磁弁（SV-5）を開くと、油分離器（70）で分離された冷凍機油が、可変容量圧縮機（41）の吸入側へ送り返される。
【００４０】
第１均油管（72）は、一端が可変容量圧縮機（41）に接続され、他端が第２吸入管（62）に接続され、電磁弁（SV-1）を備えている。一方、第２均油管（73）は、一端が固定容量圧縮機（42）に接続され、他端が第１吸入管（61）に接続され、電磁弁（SV-2）を備えている。上記電磁弁（SV-1,SV-2）を適宜開閉することにより、各圧縮機（41,42）における冷凍機油の貯留量が平均化される。
【００４１】
第１吸入側配管（66）は、一端が第２吸入管（62）に接続され、他端が第１吸入管（61）に接続されている。第１吸入側配管（66）には、該第１吸入側配管（66）の一端から他端へ向かって順に、電磁弁（SV-3）と逆止弁（CV-2）とが設けられている。この逆止弁（CV-2）は、第１吸入側配管（66）の一端から他端へ向かう冷媒の流通だけを許容する。一方、第２吸入側配管（67）は、第１吸入側配管（66）における電磁弁（SV-3）の両側を繋ぐように接続されている。第２吸入側配管（67）には、電磁弁（SV-4）が設けられている。
【００４２】
インジェクション管（85）は、いわゆる液インジェクションを行うためのものである。上記インジェクション管（85）の一端は、閉鎖弁（59）を介して第４液管（84）に接続され、他端は、第１吸入管（61）に接続されている。インジェクション管（85）には、開度調整可能な流量調節弁（86）が設けられている。インジェクション管（85）における閉鎖弁（59）と流量調節弁（86）との間には、連通管（87）の一端が接続されている。該連通管（87）の他端は、油戻し管（71）における油分離器（70）と電磁弁（SV-5）の間に接続されている。連通管（87）には、その一端から他端へ向かう冷媒の流通だけを許容する逆止弁（CV-7）が設けられている。
【００４３】
上記室外回路（40）には、各種の圧力センサ（93,94,97）や温度センサ（91,92,96）、圧力スイッチ（95）も設けられている。また、上記室外ユニット（1）には、外気温センサ（90）と室外ファン（48）とが設けられている。室外熱交換器（43）へは、この室外ファン（48）によって室外空気が送られる。
【００４４】
〈空調ユニット〉
上記空調ユニット（5）の空調回路（100）には、その液側端からガス側端へ向かって順に、空調膨張弁（102）と空調熱交換器（101）とが設けられている。該空調熱交換器（101）は、クロスフィン式のフィン・アンド・チューブ型熱交換器であって、冷媒と室内空気との熱交換を行うものである。上記空調膨張弁（102）は、開度調整可能に構成されている。
【００４５】
上記空調ユニット（5）には、熱交換器温度センサ（103）と、冷媒温度センサ（104）と、室内温度センサ（106）と、空調ファン（105）とが設けられている。上記空調熱交換器（101）へは、上記空調ファン（105）によって、店内の室内空気が送られる。
【００４６】
〈冷蔵ユニット〉
上記冷蔵ユニット（4）の冷蔵庫内回路（110）には、その液側端からガス側端へ向かって順に、冷蔵膨張弁（112）と冷蔵熱交換器（111）とが設けられている。該冷蔵熱交換器（111）は、クロスフィン式のフィン・アンド・チューブ型熱交換器であって、冷媒と冷蔵ショーケース（4a）内の空気との間で熱交換を行うものである。上記冷蔵膨張弁（112）は、開度調整可能に構成されている。
【００４７】
上記冷蔵ユニット（4）には、熱交換器温度センサ（113）と、冷媒温度センサ（114）と、冷蔵庫内温度センサ（116）と、冷蔵庫内ファン（115）とが設けられている。冷蔵熱交換器（111）へは、この冷蔵庫内ファン（115）によって、冷蔵ショーケース（4a）内の空気が送られる。
【００４８】
〈冷凍ユニット〉
上記冷凍ユニット（3）の冷凍庫内回路（130）には、その液側端からガス側端へ向かって順に、冷凍膨張弁（132）と冷凍熱交換器（131）とが設けられている。該冷凍熱交換器（131）は、クロスフィン式のフィン・アンド・チューブ型熱交換器であって、冷媒と冷凍ショーケース（3a）内の空気との間で熱交換を行うものである。上記冷凍膨張弁（132）は、開度調整可能に構成されている。
【００４９】
上記冷凍ユニット（3）には、熱交換器温度センサ（133）と、冷媒温度センサ（134）と、冷凍庫内温度センサ（136）と、冷凍庫内ファン（135）とが設けられている。冷凍熱交換器（131）へは、この冷凍庫内ファン（135）によって、冷凍ショーケース（3a）内の空気が送られる。
【００５０】
〈ブースタユニット〉
上記ブースタユニット（2）のブースタ回路（140）には、ブースタ圧縮機（141）と、四路切換弁（142）と、バイパス管（150）とが設けられている。
【００５１】
上記ブースタ圧縮機（141）の吸入側には、吸入管（143）の一端が接続され、吐出側には、吐出管（144）の一端が接続されている。
【００５２】
上記四路切換弁（142）には、第１のポートに吐出管（144）の他端が接続され、第２のポートに吸入管（143）の他端が接続されている。また、四路切換弁（142）は、第３のポートが配管を介してガス側閉鎖弁（32）に接続され、第４のポートが配管を介して冷凍庫内回路（130）のガス側端に接続されている。この四路切換弁（142）は、第１のポートと第３のポートが互いに連通して第２のポートと第４のポートが互いに連通する第１状態（図２に実線で示す状態）と、第１のポートと第４のポートが互いに連通して第２のポートと第３ポートが互いに連通する第２状態（図２に破線で示す状態）とに切り換え可能となっている。
【００５３】
上記吐出管（144）には、ブースタ圧縮機（141）から四路切換弁（142）へ向かって順に、油分離器（145）と、高圧圧力スイッチ（148）と、吐出側逆止弁（149）とが設けられている。吐出側逆止弁（149）は、ブースタ圧縮機（141）から四路切換弁（142）へ向かう冷媒の流通だけを許容する。
【００５４】
油分離器（145）は、ブースタ圧縮機（141）の吐出ガスから冷凍機油を分離するためのものである。油分離器（145）には、油戻し管（146）の一端が接続され、該油戻し管（146）の他端は、吸入管（143）に接続されている。上記油戻し管（146）には、キャピラリチューブ（147）が設けられている。上記油分離器（145）で分離された冷凍機油は、油戻し管（146）を通じてブースタ圧縮機（141）の吸入側へ送り返される。
【００５５】
上記バイパス管（150）の一端は、四路切換弁（142）と冷凍庫内回路（130）を繋ぐ配管に接続されている。バイパス管（150）の他端は、吐出管（64）における油分離器（145）と吐出側逆止弁（149）の間に接続されている。また、バイパス管（150）には、その一端から他端へ向かう冷媒の流通だけを許容するバイパス逆止弁（151）が設けられている。バイパス配管は、ブースタ圧縮機（141）の停止中にだけブースタ圧縮機（141）をバイパスして冷媒が流すものである。
【００５６】
〈制御部〉
上記制御部（200）は、マイクロプロセッサ、ＲＯＭ、ＲＡＭ等から構成され、上記空調ユニット（5）の空調運転（冷房・暖房）と、上記冷蔵ユニット（4）の冷却運転と、上記冷凍ユニット（3）の冷却運転と除霜運転とを行うように、冷媒回路（20）の冷媒流路の切換などを制御するものである。上記制御部（200）には、有線の信号線を介して、又は無線で開放検知部(300)が接続されている。
【００５７】
上記開放検知部(300)は、上記冷凍ショーケース（3a）の商品取出し扉（3b）及び商品搬入扉（3c）の開放状態を検知するものである。
【００５８】
上記制御部（200）は、図３に示すように、開放時間の判断部（201）と、運転内容の決定部（202）と、除霜制限部（204）と、除霜開始部（205）と、除霜運転部（203）とを備えている。
【００５９】
上記開放時間の判断部（201）は、所定時間内（例えば１分間）における上記冷凍ショーケース（3a）の２つの開閉扉（3b,3c）の累積開放時間を測定する測定手段に構成されると共に、該累積開放時間が、所定基準時間（例えば３０秒）以上か否かによって、上記開閉扉（3b,3c）の開放時間が長い（大）か短い（小）かを判断するものである。上記運転内容の決定部（202）は、前回除霜運転時から所定の冷却運転時間（例えば６時間）が経過した除霜開始時刻に、上記判断部（201）から開放時間の大小の判断信号が出力され、該判断信号が開放時間が小という信号であれば、上記除霜運転部（203）に実行信号を出力し、上記判断信号が開放時間が大という信号であれば、除霜制限部（204）に実行信号を出力するものである。
【００６０】
上記除霜運転部（203）は、上記決定部（202）からの信号を受けて、冷凍ユニット（3）の除霜運転を開始させるものである。一方、上記除霜制限部（204）は、上記決定部（202）からの信号を受けて、前回除霜運転時から所定時間が経過した除霜開始時刻であっても、除霜運転を開始する代わりに、冷却運転を継続する除霜制限手段に構成されている。上記除霜開始部（205）は、上記除霜制限部（203）による冷却運転が所定期間（例えば１時間）継続した後に、上記除霜運転を強制的に開始する除霜開始手段に構成されている。
【００６１】
−運転動作−
次に、本実施形態の冷凍装置（10）の運転動作について説明する。ここでは、一例として、室内の冷房運転中における冷蔵ショーケース（4a）及び冷凍ショーケース（3a）の冷却運転と、冷凍ショーケース（3a）の除霜運転とについて説明する。
【００６２】
〈冷却運転〉
室内の冷房運転中における冷蔵ショーケース（4a）及び冷凍ショーケース（3a）の冷却運転においては、図４に示すように、室外回路（40）の第１四路切換弁（51）及び第２四路切換弁（52）が第１状態に設定され、室外膨張弁（45）が全閉される一方、空調膨張弁（102）、冷蔵膨張弁（112）、及び冷凍膨張弁（132）の開度が適宜調節される。また、ブースタ回路（140）では、四路切換弁（142）が第１状態に設定される。また、この状態において、可変容量圧縮機（41）、固定容量圧縮機（42）、及びブースタ圧縮機（141）が運転される。
【００６３】
可変容量圧縮機（41）及び固定容量圧縮機（42）から吐出された冷媒は、吐出管（64）から第１四路切換弁（51）を通って室外熱交換器（43）へ送られる。室外熱交換器（43）では、冷媒が室外空気へ放熱して凝縮する。室外熱交換器（43）で凝縮した冷媒は、レシーバ（44）を通過して第２液管（82）へ流入し、第２液管（82）の各分岐管（82a,82b）へ分配される。
【００６４】
第２液管（82）の第１分岐管（82a）へ流入した冷媒は、第１液側連絡配管（21）を流れた後に、冷蔵庫内回路（110）と冷凍庫内回路（130）とに分配される。
【００６５】
冷蔵庫内回路（110）へ流入した冷媒は、冷蔵膨張弁（112）を通過する際に減圧されてから冷蔵熱交換器（111）へ導入される。冷蔵熱交換器（111）では、冷媒が冷蔵ショーケース（4a）内の空気から吸熱して、例えば−５℃程度の設定温度で蒸発する。冷蔵ユニット（4）においては、冷蔵熱交換器（111）で冷却された空気が冷蔵ショーケース（4a）内へ供給され、冷蔵ショーケース（4a）内温度が例えば５℃程度に保たれる。
【００６６】
冷凍庫内回路（130）へ流入した冷媒は、冷凍膨張弁（132）を通過する際に減圧されてから冷凍熱交換器（131）へ導入される。冷凍熱交換器（131）では、冷媒が冷凍ショーケース（3a）内の空気から吸熱して、例えば−３０℃程度の設定温度で蒸発する。冷凍ユニット（3）においては、冷凍熱交換器（131）で冷却された空気が冷凍ショーケース（3a）内へ供給され、冷凍ショーケース（3a）内温度が例えば−２０℃程度に保たれる。
【００６７】
上記冷凍熱交換器（131）で蒸発した冷媒は、ブースタ回路（140）へ流入し、四路切換弁（142）を通ってブースタ圧縮機（141）へ吸入される。ブースタ圧縮機（141）で圧縮された冷媒は、吐出管（144）から四路切換弁（142）を通って第１ガス側連絡配管（22）へ流入する。
【００６８】
第１ガス側連絡配管（22）では、冷蔵庫内回路（110）を流れた冷媒と、ブースタ回路（140）を流れた冷媒とが合流する。その後、これらの冷媒は、第１吸入管（61）を通って、可変容量圧縮機（41）に吸入される。可変容量圧縮機（41）は、吸入した冷媒を圧縮して吐出管（64）の第１分岐管（64a）へ吐出する。
【００６９】
一方、第２液管（82）の第２分岐管（82b）へ流入した冷媒は、第２液側連絡配管（23）を通じて空調回路（100）へ供給される。空調回路（100）へ流入した冷媒は、空調膨張弁（102）を通過する際に減圧されてから空調熱交換器（101）へ導入される。空調熱交換器（101）では、冷媒が室内空気から吸熱して蒸発する。空調ユニット（5）では、空調熱交換器（101）で冷却された室内空気が店内へ供給される。空調熱交換器（101）で蒸発した冷媒は、第２ガス側連絡配管（24）を通って室外回路（40）へ流入し、第１四路切換弁（51）と第２四路切換弁（52）とを順に通過した後に、第２吸入管（62）を通って固定容量圧縮機（42）に吸入される。固定容量圧縮機（42）は、吸入した冷媒を圧縮して吐出管（64）の第２分岐管（64b）へ吐出する。
【００７０】
〈除霜運転〉
上記冷凍ショーケース（3a）の除霜運転時においては、冷凍ユニット（3）の冷凍熱交換器（131）内で冷媒を逆流させる逆サイクルデフロストが行われる。冷蔵ユニット（4）と冷凍ユニット（3）とブースターユニット（2）とにおける冷媒の流れが上記冷却運転とは異なるが、室外ユニット（1）及び空調ユニット（5）における冷媒の流れは上記冷却運転中と同じである。ここでは、上記冷却運転と異なる点について説明する。
【００７１】
上記除霜運転時には、図５に示すように、ブースタ回路（140）の四路切換弁（142）が第２状態に設定され、冷凍膨張弁（132）が全開状態に保持される。
【００７２】
上記冷蔵熱交換器（111）で蒸発した冷媒は、第１ガス側連絡配管（22）を流れて、その一部がブースタ回路（140）に取り込まれる。そして、該ブースター回路（140）に取り込まれた冷媒は、吸入管（143）を流れた後に、ブースタ圧縮機（141）へ吸入されて圧縮される。冷媒は吐出管（144）を流れた後に、冷凍庫内回路（130）の冷凍熱交換器（131）に流入し、該冷凍熱交換器で放熱して凝縮する。冷凍熱交換器（131）に付着した霜は、冷媒の凝縮熱によって加熱されて融解する。
【００７３】
冷凍熱交換器（131）で凝縮した冷媒は、全開状態の冷凍膨張弁（132）を通って第１液側連絡配管（21）へ流入し、室外回路（40）から送り出された冷媒と共に冷蔵庫内回路（110）の冷蔵膨張弁（112）を通過して冷蔵熱交換器（111）へ送り返される。
【００７４】
このように、上記冷凍装置（10）の除霜運転では、冷蔵ユニット（4）の冷蔵ショーケース（4a）内空気から冷媒が吸熱した熱と、ブースタ圧縮機（141）において冷媒に付与された熱とが冷凍熱交換器（131）の除霜に利用される。また、冷凍膨張弁（132）が全開状態に保持されているために、冷凍熱交換器（131）で凝縮した冷媒が冷蔵熱交換器（111）へ送り返されて、冷蔵ショーケース（4a）内の内空気の冷却に再度利用される。
【００７５】
〈制御部の動作〉
上記制御部（200）においては、上記冷却運転と上記除霜運転とが行われるように制御される。上記除霜運転は、原則として、前回除霜運転時から所定の冷却運転時間が経過する毎（例えば６時間毎）の除霜開始時刻から１５〜３０分程度行われるが、図３、図６、図７に示す制御部（200）の処理によって、１分間の冷凍ショーケース（3a）の開閉扉（3b,3c）の累積開放時間が３０秒以上であるときは、該累積開放時間が大と判断されて、除霜開始時刻であっても、除霜運転を開始する代わりに冷却運転を継続するように制御される。
【００７６】
図３に示すように、上記開放検知部（300）は、上記制御部（200）の開放時間の判断部（201）に、上記冷凍ショーケース（3a）の２つの開閉扉（3b,3c）の開放状態を示す信号を出力する。該信号は、例えば、各開閉扉（3b,3c）の開放中継続して、又は開放開始時と終了時に出力される。これにより、上記判断部（201）では、１分間の冷凍ショーケース（3a）の２つの開閉扉（3b,3c）の累積開放時間が測定される。ここで、該累積開放時間は、上記商品取出し扉（3b）及び上記商品搬入扉（3c）のそれぞれの開放時間の合計である。例えば、１分間において、商品取出し扉（3b）が１秒開放し、商品搬入扉（3c）が１秒開放していれば、この開放が同時になされていても累積開放時間は２秒と測定され、１分間において、商品取出し扉（3b）が２回に渡って１秒ずつ開放され、上記商品搬入扉（3c）が全く開放されていなければ、累積開放時間は２秒と測定される。
【００７７】
上記判断部（201）では、上記冷凍ショーケース（3a）の２つの開閉扉（3b,3c）の累積開放時間が測定された後、図６に示すように、ステップＳＴ１１において１分間の商品取出し扉（3b）の累積開放時間が３０秒以上であれば、フラグに１が代入されて開放時間が大と設定され（ステップＳＴ１２）、３０秒未満であれば、フラグに０が代入されて開放時間が小と設定され（ステップＳＴ１３）、この処理が１分間毎に繰り返される。そして、前回除霜運転時から６時間が経過した除霜開始時刻になると、上記判断部（201）から上記決定部（202）に開放時間の大小の判断信号が出力され、以後除霜運転が開始するまで、上記判断部（201）の処理毎（１分間毎）に、大小の判断信号が上記決定部（202）に出力される。
【００７８】
上記制御部（200）の除霜運転制御では、図７に示すように、まず、ステップＳＴ２１において、前回除霜運転時から６時間が経過したかどうかが判断される。そして、６時間未満であれば、ステップＳＴ２６において、冷却運転が継続され、本処理は終了する。
【００７９】
また、ステップＳＴ２１において、前回除霜運転時から６時間が経過していると判断されれば、ステップＳＴ２３において、上記判断部（201）から上記決定部（202）に、開放時間の大小の判断信号が出力される。上記決定部（202）に出力された判断信号が、開放時間が小という判断信号であれば、運転内容の決定部（202）から除霜運転部（203）に実行信号が出力され、ステップＳＴ２４において除霜運転が開始される。
【００８０】
一方、ステップＳＴ２３において、上記判断部（201）から上記決定部（202）へ、開放時間が大という判断信号が出力されれば、上記決定部（202）から除霜制限部（204）へ実行信号が出力されてステップＳＴ２５へと進む。ステップＳＴ２５においては、前回除霜運転時から６時間から、さらに所定期間（例えば、１時間）が経過しているか、即ち前回除霜運転時から７時間経過しているかが判断される。ステップＳＴ２５で、前回除霜運転時から７時間未満と判断されれば、ステップＳＴ２６に進み、通常の冷却運転が継続される。
【００８１】
また、ステップＳＴ２５において、前回除霜運転時から７時間以上が経過していると判断されれば、上記除霜制限部（204）から除霜開始部（205）に開始信号が出力され、ステップＳＴ２４において、除霜開始部（205）から除霜運転部（203）へ実行信号が出力されて除霜運転が開始される。
【００８２】
−実施形態の効果−
上記冷凍装置（10）では、あらかじめ設定された除霜開始時刻となっても、冷凍ショーケース（3a）の２つの開閉扉（3b,3c）の１分間の累積開放時間が３０秒以上であれば、上記開閉扉（3b,3c）の開放時間が長いと判断されて、除霜制限部（204）によって冷凍ユニット（3）の除霜運転の代わりに冷却運転が行われるので、冷却が不足気味な冷凍ショーケース（3a）の冷却を確実に行うことができると共に、霜が殆どついていない状態で不必要な除霜運転が行われることを防止することができる。
【００８３】
また、上記除霜開始部（205）によって、除霜開始時刻から１時間経過後には、強制的に除霜を開始させるようにしたために、上記冷凍ショーケース（3a）の開閉扉（3b,3c）の開放状態が長時間継続することによって除霜運転が永続的に行われなくなることを防止することができると共に、適切なタイミングで除霜運転を行うことができる。
【００８４】
《その他の実施形態》
上記実施形態については、以下のような構成としてもよい。
【００８５】
上記実施形態の冷凍装置（10）では、除霜運転の一例として、店内の冷房運転中における冷凍ユニット（3）の逆サイクルデフロストを示したが、除霜運転の方法はこれに限られない。冷蔵ユニット（4）においても、冷凍ユニット（3）と同様に、冷蔵ユニット（4）の除霜運転を行うようにしてもよい。この場合、例えば、冷凍ユニットと冷蔵ユニットとを共に逆サイクルデフロストを行うような冷凍装置であってもよいし、蒸発器内の冷媒を一定時間流れさせないようにするオフサイクルデフロストやヒーター方式の除霜を行うような除霜運転を行う冷凍装置であってもよい。また、暖房運転中における冷却運転及び除霜運転において同様の制御を行ってもよい。
【００８６】
また、上記冷凍装置（10）では、原則として、６時間毎に除霜運転を行うようにしたが、除霜運転を行う間隔（前回除霜運転時から所定の冷却運転時間が経過する毎）は６時間に限られない。また、冷凍ショーケース（3a）の開閉扉（3b,3c）の１分間の累積開放時間が３０秒以上であるかどうかによって、冷凍ショーケース（3a）の開閉扉（3b,3c）の大小を判断したが、冷凍ショーケース（3a）の開閉扉（3b,3c）の開放時間の大小を判断するための所定時間及び累積開放時間は特に限定されない。
【００８７】
また、上記冷凍装置（10）では、冷凍ショーケース（3a）の開閉扉（3b,3c）の両方の開放時間の合計を所定時間内の累積開放時間としたが、何れか一方の開閉扉（3b,3c）の累積開放時間のみによって、除霜制限を行うようにしてもよい。
【００８８】
また、上記冷凍ショーケース（3a）の開閉扉（3b,3c）の開放による負荷の大きさによって、開閉扉（3b,3c）の開放時間に重み係数をかけて開放時間の大小を判断してもよい。例えば、夏季には、売場は空調ユニット（5）の冷房運転により所定の低温度に保たれる一方、バックヤードは外気温程度の高温度になる場合がある。この場合は、売場に面した商品取出し扉（3b）を開放する時間は実測値のまま累積し、バックヤードに面した商品搬入用扉（3c）は例えば２倍に換算して（１秒開放すれば、２秒として）累積してもよい。逆に、冬季には、売場が所定の高温度に保たれ、バックヤードは低温になるので、商品取出し扉（3b）の開放による負荷が大きいとして、重み係数をかけて累積してもよい。
【００８９】
また、上記冷凍装置（10）の冷凍ショーケース（3a）は商品取出し扉（3b）と商品搬入扉（3c）とを備えているが、売場に面した開閉扉のみを備えていてもよい。また、冷蔵ショーケース（4a）にも、開閉扉を備えて、該開閉扉によって除霜運転の制限を行うようにしてもよい。
【００９０】
また、上記開放時間の判断部（201）は、冷凍ショーケース（3a）の開閉扉（3b,3c）の開閉回数から累積開放時間を導出するようにしてもよい。例えば、上記商品取出し扉（3b）において、商品を取り出すために要する１回の開閉時間がほぼ決まっていれば、上記開放検知部(300)から商品取出し扉（3b）が開放中継続して信号が出力されるのではなく、単に、開閉されたという信号を出力するようにしてもよい。
【００９１】
また、上記冷凍装置（10）では、除霜運転中に通常の冷却運転を行ったが、着霜を抑制するような冷却運転を行うようにしてもよい。具体的に、冷凍ユニット（3）の除霜運転中において、冷凍庫内ファン（135）の回転数を低減させることによって、冷媒と熱交換するショーケース内の空気の量を低減させることによって着霜を抑制してもよいし、冷凍膨張弁（132）の開度を低減させることにより、冷媒循環量を少なくして着霜を抑制するようにしてもよい。
【００９２】
また、上記開放時間の判断部（201）は、常時、冷凍ショーケース（3a）の開閉扉（3b,3c）の１分間の累積開放時間を測定して、開放時間の大小を設定していたが、除霜開始時刻や該除霜開始時刻の直前にのみ、測定及び設定をするようにしてもよい。また、上記開放時間の判断部（201）によって常時導出される冷凍ショーケース（3a）の開閉扉（3b,3c）の１分間の累積開放時間に基づいて、累積開放時間が長くなる時間帯を予想し、該累積開放時間が長くなる時間帯に除霜運転を行わないように制御してもよい。
【００９３】
また、本実施形態の冷凍装置（10）は、コンビニエンスストアなどの店内に設置される冷凍装置（10）であって、冷却室を冷凍ショーケース（3a）としたが、冷凍装置（10）及び冷却室の構成は特に限定されない。例えば、冷却室は冷蔵又は冷凍を行うための倉庫や、コンテナ、貯蔵庫などであってもよく、このようなの冷却室の冷却運転と除霜運転を行うような冷凍装置であればよい。
【００９４】
なお、以上の実施形態は、本質的に好ましい例示であって、本発明、その適用物、あるいはその用途の範囲を制限することを意図するものではない。
【産業上の利用可能性】
【００９５】
以上説明したように、本発明は、冷却室の冷凍運転と除霜運転とを行う冷凍装置について有用である。
【図面の簡単な説明】
【００９６】
【図１】冷凍装置の概略構成図である。
【図２】冷凍装置の冷媒回路の概略構成図である。
【図３】制御部で実行される除霜制御を示すブロック図である。
【図４】冷却運転中における冷媒の流れを示す冷媒回路の概略構成図である。
【図５】除霜運転中における冷媒の流れを示す冷媒回路の概略構成図である。
【図６】商品取出し扉及び商品搬入扉の開放時間の大小判断処理を示すフローチャートである。
【図７】商品取出し扉及び商品搬入扉の開放時間の大小判断に基づく除霜制御を示すフローチャートである。
【符号の説明】
【００９７】
3a  冷凍ショーケース（冷却室、ショーケース）
3b  商品取出し扉（開閉扉、商品取り出し用の開閉扉）
3c  商品搬入扉（開閉扉、商品取出し用の開閉扉）
201 開放時間の判断部（測定手段）
204 除霜制限部（除霜制限手段）
205 除霜開始部（除霜開始手段）
【図１】
2007071514.tif 000003
【図２】
2007071514.tif 000004
【図３】
2007071514.tif 000005
【図４】
2007071514.tif 000006
【図５】
2007071514.tif 000007
【図６】
2007071514.tif 000008
【図７】
2007071514.tif 000009